(57)【要約】【課題】防水性能及び作業性を向上させることが可能なケースのシール構造及びリング状のシール部材を提供する。【解決手段】ケース本体１６の開口１６Ｂの周縁部に、周縁部に沿う段部１６ｐと、この段部１６ｐの外側に沿ってグローブの周縁部と重なり合う突出する周壁１６ｈとを備え、段部１６ｐに軟質樹脂製のリング状のシール部材２０を配置し、段部１６ｐ上のシール部材２０にグローブの周縁部を当接させてケース本体１６とグローブとを水密に結合するケースを構成し、シール部材２０が、段部１６ｐに配置されるシール部２０ｆと、このシール部２０ｆに繋がり、周壁１６ｈに係止される保持部２０ｄとを一体に備えた。【選択図】図５
2014130723.tif 000002
【特許請求の範囲】
【請求項１】
ケース本体の開口の周縁部に、当該周縁部に沿う段部と、この段部の外側に沿ってケース蓋の周縁部と重なり合う突出する周壁とを備え、
前記段部に軟質樹脂製のリング状のシール部材を配置し、
前記段部上のシール部材にケース蓋の周縁部を当接させて前記ケース本体と前記ケース蓋とを水密に結合するケースを構成し、
前記シール部材は、前記段部に配置されるシール部と、前記シール部に繋がり前記周壁に係止される保持部とを一体に備えた、
ことを特徴とするケースのシール構造。
【請求項２】
前記保持部が断面略Ｕ字の溝を備え、前記周壁が前記溝に係止されることを特徴とする請求項１に記載のケースのシール構造。
【請求項３】
前記シール部は、前記ケース蓋の周縁部に対向し、前記段部に当接する面に凹溝を備えていることを特徴とする請求項１又は２に記載のケースのシール構造。
【請求項４】
前記ケース本体の開口の周縁部が略同一面内に位置し、その一縁部が当該面内から外れて形成され、前記シール部は、前記段部に沿って配置され、かつ、前記面内から外れた前記一縁部に沿って配置されることを特徴とする請求項１乃至３のいずれか一項に記載のケースのシール構造。
【請求項５】
前記ケースが灯具用であり、前記ケース本体及び前記ケース蓋が灯具の本体側及びグローブであることを特徴とする請求項１乃至４のいずれか一項に記載のケースのシール構造。
【請求項６】
前記灯具用のケースにおいて、前記シール部材の保持部に水抜き穴が設けられ、この水抜き穴は、前記シール部のシール面よりも下方に位置することを特徴とする請求項１乃至５のいずれか一項に記載のケースのシール構造。
【請求項７】
軟質樹脂製のリング状のシール部であって、ケース本体の開口の周縁部に沿う段部に配置され、ケース蓋の周縁部を当接させて前記ケース本体と前記ケース蓋とを水密に結合するシール部と、
軟質樹脂製のリング状の保持部であって、前記シール部に一体に繋がり、前記段部の外側に沿って突出する周壁に係止される保持部と、を備えた、
ことを特徴とするリング状のシール部材。
【請求項８】
前記リング状のシール部材の保持部に水抜き穴が設けられ、この水抜き穴は、前記シール部のシール面よりも下方に位置することを特徴とする請求項７に記載のリング状のシール部材。
【請求項９】
前記シール部と前記保持部とが一体に樹脂成形されていることを特徴とする請求項７又は８に記載のリング状のシール部材。
【発明の詳細な説明】
【技術分野】
【０００１】
本発明は、ケース本体及びこのケース本体の開口を塞ぐケース蓋からなるケースにおいて、ケース本体とケース蓋との間をシールするケースのシール構造及びリング状のシール部材に関する。
【背景技術】
【０００２】
ケースのシール構造及びリング状のシール部材として、器具本体の開口部に蝶番を介して開口部カバーが開閉可能に取付けられ、器具本体の開口部の周縁の全周に亘って防水パッキンが設けられ、開口部カバーを閉じたときに、器具本体と開口部カバーとの間をシールするものが知られている（例えば、特許文献１参照）。
【先行技術文献】
【特許文献】
【０００３】
【特許文献１】特開２００５−３２７７４８号公報
【発明の概要】
【発明が解決しようとする課題】
【０００４】
特許文献１のシール構造では、防水パッキンを器具本体の開口部の周縁に接着により取付けているので、接着剤を器具本体又は防水パッキンに塗布したり、接着剤を乾燥させたりするのに多くの時間を必要とするため、作業性の点で課題がある。また、器具本体の開口部が大きくて防水パッキンが長くなり、また、シール性を高めるために防水パッキンを柔らかい材質にしている場合には、防水パッキンのシール部を所定箇所に精度良く位置決めするのが難しく、シール性を確保しにくい。
本発明は、上述した事情を鑑みてなされたものであり、作業性を向上させるとともにシール性を容易に確保することが可能なケースのシール構造及びリング状のシール部材を提供することを目的としている。
【課題を解決するための手段】
【０００５】
上記目的を達成するために、本発明は、ケース本体の開口の周縁部に、当該周縁部に沿う段部と、この段部の外側に沿ってケース蓋の周縁部と重なり合う突出する周壁とを備え、前記段部に軟質樹脂製のリング状のシール部材を配置し、前記段部上のシール部材にケース蓋の周縁部を当接させて前記ケース本体と前記ケース蓋とを水密に結合するケースを構成し、前記シール部材は、前記段部に配置されるシール部と、前記シール部に繋がり前記周壁に係止される保持部とを一体に備えた、ことを特徴とする。
【０００６】
また本発明は、前記保持部が断面略Ｕ字の溝を備え、前記周壁が前記溝に係止されることを特徴とする。
【０００７】
また本発明は、前記シール部は、前記ケース蓋の周縁部に対向し、前記段部に当接する面に凹溝を備えていることを特徴とする。
【０００８】
また本発明は、前記ケース本体の開口の周縁部が略同一面内に位置し、その一縁部が当該面内から外れて形成され、前記シール部は、前記段部に沿って配置され、かつ、前記面内から外れた前記一縁部に沿って配置されることを特徴とする。
【０００９】
また本発明は、前記ケースが灯具用であり、前記ケース本体及び前記ケース蓋が灯具の本体側及びグローブであることを特徴とする。
【００１０】
また本発明は、前記灯具用のケースにおいて、前記シール部材の保持部に水抜き穴が設けられ、この水抜き穴は、前記シール部のシール面よりも下方に位置することを特徴とする。
【００１１】
また上記目的を達成するために、本発明は、軟質樹脂製のリング状のシール部であって、ケース本体の開口の周縁部に沿う段部に配置され、ケース蓋の周縁部を当接させて前記ケース本体と前記ケース蓋とを水密に結合するシール部と、軟質樹脂製のリング状の保持部であって、前記シール部に一体に繋がり、前記段部の外側に沿って突出する周壁に係止される保持部と、を備えた、ことを特徴とする。
【００１２】
また本発明は、前記リング状のシール部材の保持部に水抜き穴が設けられ、この水抜き穴は、前記シール部のシール面よりも下方に位置することを特徴とする。
【００１３】
また本発明は、前記シール部と前記保持部とが一体に樹脂成形されていることを特徴とする。
【発明の効果】
【００１４】
本発明によれば、ケース本体の開口の周縁部に、当該周縁部に沿う段部と、この段部の外側に沿ってケース蓋の周縁部と重なり合う突出する周壁とを備え、段部に軟質樹脂製のリング状のシール部材を配置し、段部上のシール部材にケース蓋の周縁部を当接させてケース本体とケース蓋とを水密に結合し、シール部材は、段部に配置されるシール部と、シール部に繋がり周壁に係止される保持部とを一体に備えた構成とした。この構成によれば、シール部材の保持部を周壁に係止させることで、シール部材をケース本体の周縁部に容易に組み付けることができ、作業性を向上させることができる。特に、シール部材が長い場合や、シール性を向上させるためにシール部材をより軟質にした場合でも、シール部材のシール部がケース本体の段部に対してずれて装着される心配がなく、シール部を容易に位置決めすることができ、このことからも作業性を向上させることができる。従って、作業性を向上させることができるとともにシール性を容易に確保することができる。
【図面の簡単な説明】
【００１５】
【図１】本発明に係る第１実施形態の照明器具を示す断面図である。
【図２】照明器具を示す斜視図である。
【図３】照明器具を示す底面図である。
【図４】シール部材が装着されたケース本体を示す斜視図である。
【図５】ケース本体及びシール部材を示す分解斜視図である。
【図６】シール部材を示す底面図である。
【図７】図４のＶＩＩ−ＶＩＩ線断面図である。
【図８】シール部材の組付要領を示す第１作用図である。
【図９】シール部材の組付要領を示す第２作用図である。
【図１０】シール部材のシール性を説明する作用図である。
【図１１】シール部材の水抜き穴の作用を説明する作用図である。
【図１２】本発明に係る第２実施形態の照明器具を示す斜視図である。
【発明を実施するための形態】
【００１６】
以下、図面を参照して本発明の実施の形態について説明する。
＜第１実施形態＞
図１は、本発明に係る第１実施形態の照明器具１０を示す断面図である。
照明器具１０は、街路などに設けられる例えば防犯灯として用いられるものであり、ケース１１と、このケース１１内に収容されたＬＥＤボード１２、拡散板１３及び電源ユニット１４とを備える。
ケース１１は、上部に設けられたアルミニウム合金ダイカスト製のケース本体１６と、このケース本体１６の下部に形成された開口１６Ｂを塞ぐためにケース本体１６の先端部１６Ａに支軸１７を介して先端部１８Ａが揺動可能に取付けられた透光性を有するグローブ１８と、これらのケース本体１６及びグローブ１８のそれぞれの間をシールするシール部材２０とからなる。
【００１７】
ＬＥＤボード１２は、ベースプレート２３と、このベースプレート２３の下面に取付けられた複数のＬＥＤモジュール２４とからなり、ＬＥＤモジュール２４は、複数のＬＥＤ２６から構成されている。
拡散板１３は、ＬＥＤボード１２の下方に離されて配置されてＬＥＤ２６の光を拡散させる部品である。
電源ユニット１４は、各ＬＥＤモジュール２４に導線２７を介して接続されるとともに、商用電源に導線２８，２８を介して接続され、商用電源を交流から直流に変換するとともに定電圧とする電源部と、ＬＥＤ２６の点灯を制御する制御部とを備える。
【００１８】
また、ケース本体１６の内面には、複数の内方突出部１６ｅが一体成形され、これらの内方突出部１６ｅに支持プレート３１が複数のビス３２で取付けられ、この支持プレート３１に電源ユニット１４が複数のビス３３で取付けられ、電源ユニット１４にＬＥＤボード１２のベースプレート２３が取付けられている。
また、支持プレート３１には、拡散板１３がステー３４を介して取付けられている。なお、符号３６は照明器具１０を電柱等に取付けるためにケース本体１６の基部１６Ｃに取付けられた取付プレート、３７はグローブ１８の基部１８Ｃをケース本体１６の基部１６Ｃに取付けるための取付用ビスである。
【００１９】
図２は、照明器具１０を示す斜視図であり、グローブ１８を開いた状態を示している。
照明器具１０のケース１１は、その先端部１１Ａが略球状、基部１１Ｃが略平らな端面とされたほぼ筒状のものであり、ケース本体１６及びグローブ１８は、上記の筒を上下にほぼ半分にした形状を有している。
ケース本体１６の縁には、全周に亘ってシール部材２０が設けられ、このシール部材２０によって、ケース本体１６とグローブ１８との間が密封され、ＬＥＤ２６、電源ユニット１４等への被水が防止される。
ケース本体１６の基部１６Ｃは、その縁がケース本体１６の基部１６Ｃ以外の部分の縁より下方に突出する形状に形成された下方突出部１６ｆを有し、この下方突出部１６ｆに下方からグローブ１８の基部１８Ｃがシール部材２０を介して嵌合する。なお、符号１６ｇは取付用ビス３７（図１参照）がねじ込まれるようにケース本体１６に形成されたねじ穴、１８ｅは取付用ビス３７が通されるようにグローブ１８に開けられたビス挿通穴である。
【００２０】
図３は、照明器具１０を示す底面図である。
ケース本体１６には、ケース本体１６に取付けられたグローブ１８を囲むように、基部１６Ｃ（図２参照）以外の部分に周壁１６ｈが設けられている。周壁１６ｈは、先端部１６Ａ側に設けられたほぼ円弧状に湾曲した湾曲部１６ｊと、この湾曲部１６ｊの端部から平行に延びる直線部１６ｋ，１６ｋと、これらの直線部１６ｋ，１６ｋの端部に繋がるＳ字状、逆Ｓ字状に延びる曲線部１６ｍ，１６ｎとから構成される。
【００２１】
周壁１６ｈの湾曲部１６ｊ及び直線部１６ｋには、シール部材２０に形成された保持部２０ｄ，２０ｄがそれぞれ嵌められ、これらの保持部２０ｄ，２０ｄに、それぞれ複数の水抜き穴２０ｅが開けられている。
【００２２】
シール部材２０は、ケース１１の先端部１１Ａ側、詳しくはケース１１の基部１１Ｃを除く部分に装着される先端部シール部材２０Ａと、基部１１Ｃに装着される基部シール部材２０Ｃ（図２参照）とが一体成形された軟質樹脂製、例えばシリコンゴム製の部品である。
【００２３】
図４は、シール部材２０が装着されたケース本体１６を示す斜視図であり、ケース本体１６の周壁１６ｈ及び下方突出部１６ｆにシール部材２０を装着した状態を示している。
図５は、ケース本体１６及びシール部材２０を示す分解斜視図であり、シール部材２０をケース本体１６の装着部分からそのまま上方に移動した状態を示している。
図４及び図５では共に、ケース本体１６及びシール部材２０を、照明器具１０（図１参照）の実際の使用状態とは上下逆に表している。
【００２４】
図４及び図５において、ケース本体１６は、周壁１６ｈの内側に且つ周壁１６ｈよりも低くなるように全周に亘って段部１６ｐが形成されている。段部１６ｐは、ケース本体１６の先端部１６Ａ側、詳しくはケース本体１６の基部１６Ｃを除く部分に形成された先端部段部１６ｑと、基部１６Ｃに形成された基部段部１６ｒとからなる。
【００２５】
先端部段部１６ｑは、先端部１６Ａ側に設けられたほぼ円弧状に湾曲した湾曲段部１６ｓと、この湾曲段部１６ｓの端部から平行に延びる直線段部１６ｔ，１６ｔ（一方の直線段部１６ｔのみ図示）と、これらの直線段部１６ｔ，１６ｔの端部に繋がるＳ字状、逆Ｓ字状に延びる曲線段部１６ｕ，１６ｖとから構成される。基部段部１６ｒは、曲線段部１６ｕ，１６ｖから上方に立ち上がる起立段部１６ｗ，１６ｗ（一方の起立段部１６ｗのみ図示）と、これらの起立段部１６ｗ，１６ｗの上端部間を繋ぐほぼ円弧状に湾曲した後部湾曲段部１６ｘとから構成される。
【００２６】
シール部材２０は、ケース本体１６の段部１６ｐ上に配置される全周に亘って形成されたシール部２０ｆを備える。シール部２０ｆは、ケース本体１６の段部１６ｐの各部、即ち湾曲段部１６ｓ、直線段部１６ｔ，１６ｔ、曲線段部１６ｕ，１６ｖ、起立段部１６ｗ，１６ｗ、後部湾曲段部１６ｘの上にそれぞれ配置されるシール部２０ｓ，２０ｔ，２０ｔ，２０ｕ，２０ｖ，２０ｗ，２０ｗ，２０ｘを一体に備える。
【００２７】
図６は、シール部材２０を示す底面図である。
シール部材２０のシール部２０ｆは、グローブ１８（図２参照）の周壁１８ｈ（図２参照）が当たる部分であり、先端部シール部材２０Ａ及び基部シール部材２０Ｃとからなり、先端部シール部材２０Ａは、シール部２０ｓ，２０ｔ，２０ｔ，２０ｕ，２０ｖからなり、基部シール部材２０Ｃは、シール部２０ｗ，２０ｗ，２０ｘからなる。
【００２８】
先端部シール部材２０Ａのうち、シール部２０ｓ，２０ｔ，２０ｔには保持部２０ｄ，２０ｄが一体に隣接して形成されている。シール部２０ｗ，２０ｗ，２０ｘには、ベース面２０ｇから突出して幅の中央を長手方向に延びる線状突出部２０ｈが形成され、この線状突出部２０ｈがグローブ１８の基部１８Ｃ（図２参照）の内面に当たることでシールされる。線状突出部２０ｈは、ベース面２０ｇよりも幅が狭く形成されているため、グローブ１８の基部１８Ｃが当てられたときに潰れやすく、シール性を向上させることができる。なお、符号２０ｊは取付用ビス３７（図１参照）を通すためにシール部２０ｘに開けられたビス挿通穴である。
【００２９】
図７は、図４のＶＩＩ−ＶＩＩ線断面図である。
シール部材２０は、ケース本体１６の周壁１６ｈに嵌められて係止される断面Ｕ字形状の保持部２０ｄと、この保持部２０ｄの上端部の内側に保持部２０ｄに対してほぼ直角に屈曲するように設けられたシール部２０ｆと、このシール部２０ｆの内端部に形成された縦壁部２０ｋとを備える。
【００３０】
保持部２０ｄは、周壁１６ｈの内周面１６ｙに当たる内壁２０ｍと、周壁１６ｈの外周面１６ｚに当たる外壁２０ｎと、これらの内壁２０ｍ及び外壁２０ｎのそれぞれの端部を繋ぐ底壁２０ｐとからなり、これらの内壁２０ｍ、外壁２０ｎ及び底壁２０ｐの各内面で溝２１ａが形成される。外壁２０ｎは、その上端部側が下端部側（底壁２０ｐ側）よりも厚くなるように形成されるとともに、後に示すように、内面２０ｑが内壁２０ｍ側に近づくように傾けられて形成されるため、周壁１６ｈに保持部２０ｄに係止した状態では、外壁２０ｎが内壁２０ｍ及び底壁２０ｐに対して撓んで周壁１６ｈを締め付ける弾性力が発生しているので、保持部２０ｄは周壁１６ｈから外れにくくなる。
【００３１】
シール部２０ｆは、ケース本体１６の段部１６ｐ上に配置され、シール部２０ｆの段部１６ｐに臨む面に長手方向に延びるように凹溝２０ｒが形成されている。凹溝２０ｒは、シール部２０ｆがケース本体１６の段部１６ｐとグローブ１８（図２参照）の周壁１８ｈ（図２参照）とに挟まれたときにシール部２０ｆを潰れやすくしてシール性を向上させるための部分である。シール部２０ｆにおいて凹溝２０ｒとは反対側に平坦なシール面２１ｂが形成されている。
【００３２】
図８は、シール部材２０の組付要領を示す第１作用図である。
シール部材２０は、軟質のシリコンゴムで成形され、更に、周長が比較的大きいため、シール部材２０をケース本体１６の周縁部に組み付ける際に両手で掴むと、大きく下方に撓むので、ケース本体１６の周縁部に設けられた段部１６ｐにシール部２０ｆを位置決めするのは難しい。例えば、比較的硬いシール部材であれば、その形状がほとんど維持され、そのシール部材を周縁部に位置決めしやすい。
【００３３】
そこで、本実施形態のシール部材２０では、シール部材２０の全周の一部分に保持部２０ｄ，２０ｄが設けられ、これらの保持部２０ｄ，２０ｄをケース本体１６の周壁１６ｈに係止することで組み付けられる構造にされている。このような構造にすることで、保持部２０ｄ，２０ｄを周壁１６ｈに容易に係止することができ、結果的に、シール部２０ｆを段部１６ｐに容易に位置決めすることができる。
【００３４】
また、２つの保持部２０ｄ，２０ｄを設けることで、両手でそれぞれ保持部２０ｄを掴んで周壁１６ｈに嵌めることができ、より一層作業性を向上させることができる。更に、保持部２０ｄ，２０ｄを周壁１６ｈの湾曲部１６ｊにまで嵌めるようにすることで、単に保持部２０ｄ，２０ｄを直線部１６ｋ，１６ｋだけに嵌めるのに比べて、保持部２０ｄ，２０ｄの周壁１６ｈへの係止をより周方向にずれないようにすることができる。
【００３５】
図９は、シール部材２０の組付要領を示す第２作用図である。図９（Ａ）は組付前の状態を示す図、図９（Ｂ）は組付後の状態を示す図である。
図９（Ａ）に示すように、シール部材２０の保持部２０ｄにおける外壁２０ｎは、先端部にいくほど厚肉に形成されるとともに内面２０ｑが内壁２０ｍ側に近づくように傾斜することで、溝２１ａの開口側が狭くなっている。従って、白抜き矢印で示すように、保持部２０ｄをケース本体１６の周壁１６ｈ側へ移動させ、図９（Ｂ）に示すように、保持部２０ｄの溝２１ａを周壁１６ｈに嵌めて係止したときには、溝２１ａが広げられた状態になり、保持部２０ｄに周壁１６ｈを挟み込む力が発生し、保持部２０ｄは周壁１６ｈから外れにくくなる。
【００３６】
図１０は、シール部材２０のシール性を説明する作用図である。図１０（Ａ）はケース本体１６に対してグローブ１８を開けた状態を示す図、図１０（Ｂ）はケース本体１６に対してグローブ１８を閉じた状態を示す図である。
図１０（Ａ）に示すように、シール部材２０のシール部２０ｆの下方から、白抜き矢印で示すように、グローブ１８の周壁１８ｈを移動させ、図１０（Ｂ）に示すように、グローブ１８の周壁１８ｈをシール部材２０のシール部２０ｆに当てるようにして、グローブ１８を閉じ、ケース本体１６に固定する。この結果、シール部２０ｆは圧縮されて潰れる。このとき、シール部２０ｆのシール面２１ｂとは反対側の面に形成された凹溝２０ｒによってシール部２０ｆは潰れやすくなり、シール面２１ｂは周壁１８ｈの先端面１８ｊへの密着性が増し、シール性が高められる。
【００３７】
図１１は、シール部材２０の水抜き穴２０ｅの作用を説明する作用図である。
シール部材２０の保持部２０ｄは、ケース本体１６の周壁１６ｈを弾性力で挟み込むように保持しているが、経年変化によるシール部材２０のへたりや変形によって、矢印Ａで示すように、ケース本体１６の上部から、あるいは矢印Ｂで示すように、直接にシール部材２０に雨水が達すると、矢印Ｃで示すように、周壁１６ｈと保持部２０ｄの外壁２０ｎとの間に雨水が浸入する。その雨水は、保持部２０ｄの底壁２０ｐに形成された水抜き穴２０ｅを通じて、矢印Ｄに示すように、落下し、保持部２０ｄにとどまることがない。
また、水抜き穴２０ｅは、シール部２０ｆのシール面２１ｂよりも下方に位置するので、雨水が、水抜き穴２０ｅからシール面２１ｂ側に移動することがない。
【００３８】
もし、保持部２０ｄに水抜き穴が無い場合には、保持部２０ｄの溝２１ａに雨水が溜り、その雨水が周壁１６ｈと内壁２０ｍとの隙間を介してケース１１内に入り込むおそれがある。本実施形態では、保持部２０ｄに水抜き穴２０ｅを設けることで、雨水がケース１１内に浸入するのを防止することができる。
【００３９】
＜第２実施形態＞
図１２は、本発明に係る第２実施形態の照明器具４０の示す斜視図である。
照明器具４０は、ケース４１と、このケース４１内に収容された複数のＬＥＤ４２及び反射板４３からなる光源ユニット４４とを備える。
ケース４１は、下部に開口４５Ａを有する箱型のケース本体４５と、このケース本体４５の開口４５Ａを塞ぐように取付けられるケースカバー４６と、これらのケース本体４５及びケースカバー４６のそれぞれの間をシールするリング状のシール部材４７とから構成される。
【００４０】
ケース本体４５は、開口４５Ａを形成する周壁と、この周壁の内側に周壁より低く形成された段部とを備える。ケースカバー４６は、枠状のカバー基部５１と、このカバー基部５１に取付けられた透光性を有する強化ガラス製のガラス体５２とからなり、カバー基部５１にケース本体４５側に突出する周壁を備える。シール部材４７は、ケース本体４５の周壁に係止された保持部４７ｄと、この保持部４７ｄの内側に一体に設けられてケース本体４５の段部に配置されるシール部４７ｅとを備え、シール部４７ｅにケースカバー４６の周壁が当てられることで、ケース本体４５の段部とケースカバー４６の周壁との間がシール部材４７のシール部４７ｅによって密封される。
シール部材４７の保持部４７ｄの下部には複数の水抜き穴４７ｆが形成されている。
上記したシール部材４７の横断面形状は、図７に示した第１実施形態のシール部材２０の断面形状と同一である。
【００４１】
以上の図４、図５及び図１０（Ａ），（Ｂ）に示したように、ケース本体１６の開口１６Ｂの周縁部に、周縁部に沿う段部１６ｐと、この段部１６ｐの外側に沿ってケース蓋としてのグローブ１８の周縁部と重なり合う突出する周壁１６ｈとを備え、段部１６ｐに軟質樹脂製のリング状のシール部材２０を配置し、段部１６ｐ上のシール部材２０にグローブ１８の周縁部の周壁１８ｈを当接させてケース本体１６とグローブ１８とを水密に結合するケース１１を構成し、シール部材２０が、段部１６ｐに配置されるシール部２０ｆと、このシール部２０ｆに繋がり、周壁１６ｈに係止される保持部２０ｄとを一体に備えた。
【００４２】
この構成によれば、シール部材２０の保持部２０ｄを周壁１６ｈに係止させることで、シール部材２０をケース本体１６の周縁部に容易に組み付けることができ、作業性を向上させることができる。特に、シール部材２０の周長が大きい場合や、シール性を向上させるためにシール部材２０をより軟質にした場合でも、シール部材２０のシール部２０ｆがケース本体１６の段部１６ｐに対してずれて装着されにくく、シール部２０ｆを段部１６ｐに容易に位置決めすることができ、このことからも作業性を向上させることができる。従って防水性能及び作業性を向上させることができる。
【００４３】
また、図１０（Ａ），（Ｂ）に示したように、保持部２０ｄが断面略Ｕ字の溝２１ａを備え、周壁１６ｈが溝２１ａに係止されるので、断面略Ｕ字の溝２１ａによって、保持部２０ｄを周壁１６ｈから外れにくくすることができる。
また、シール部２０ｆは、グローブ１８の周壁１８ｈに対向し、段部１６ｐに当接する面に凹溝２０ｒを備えているので、凹溝２０ｒによってシール部２０ｆを潰れやすくすることができ、ケース本体１６とグローブ１８との間のシール性を向上させることができる。
【００４４】
また、図４及び図５に示したように、ケース本体１６の開口１６Ｂの周縁部である先端部段部１６ｑが略同一面内に位置し、その一縁部である基部段部１６ｒが当該面内から外れて形成され、シール部２０ｆのうち、シール部２０ｓ，２０ｔ，２０ｕ，２０ｖは先端部段部１６ｑに沿って配置され、かつ、シール部２０ｆのうち、シール部２０ｗ，２０ｘは基部段部１６ｒに沿って配置されているので、ケース本体１６の先端部段部１６ｑ側と基部段部１６ｒ側とを一つのシール部材２０でシールすることができる。
【００４５】
また、図１及び図２に示したように、ケース１１が灯具としての照明器具１０用であり、ケース本体及びケース蓋が照明器具１０の本体側であるケース本体１６及びグローブ１８であるので、照明器具１０にシール部材２０を取付ける際の作業性を向上させることができるとともにケース本体１６とグローブ１８との間の防水性能を向上させることができる。
【００４６】
また、図２、図１０（Ａ），（Ｂ）に示したように、照明器具１０用のケース１１において、シール部材２０の保持部２０ｄに水抜き穴２０ｅが設けられ、この水抜き穴２０ｅは、シール部２０ｆのシール面２１ｂよりも下方に位置するので、雨水等が、水抜き穴２０ｅからシール面２１ｂ側に移動するのを防止することができる。
【００４７】
また、図４、図５及び図１０（Ａ），（Ｂ）に示したように、リング状のシール部材２０は、軟質樹脂製のリング状のシール部２０ｆであって、ケース本体１６の開口１６Ｂの周縁部に沿う段部１６ｐに配置され、グローブ１８の周壁１８ｈを当接させてケース本体１６とグローブ１８とを水密に結合するシール部２０ｆと、軟質樹脂製のリング状の保持部２０ｄであって、シール部２０ｆに一体に繋がり、段部１６ｐの外側に沿って突出する周壁１６ｈに係止される保持部２０ｄと、を備える。
【００４８】
また、図６に示したように、シール部２０ｆと保持部２０ｄとが一体に樹脂成形されているので、保持部３０ｄを周壁１６ｈに係止することで、シール部２０ｆを段部１６ｐに容易に位置決めすることができる。また、部品数の増加を抑えることができ、コストを削減することができる。
【００４９】
上述した実施形態は、あくまでも本発明の一態様を示すものであり、本発明の主旨を逸脱しない範囲で任意に変形及び応用が可能である。
例えば、上記実施形態において、図２及び図１２に示したように、シール部材２０，４７を照明器具１０，４０に使用したが、これに限らず、シール部材を、２部材間をシールするものに使用しても良い。また、図１２では、シール部材４７の保持部４７ｄを全周に亘って設けたが、これに限らず、保持部４７ｄを全周の一部に設けても良い。
【符号の説明】
【００５０】
１０，４０  照明器具（灯具）
１１，４１  ケース
１６，４５  ケース本体
１６Ｂ，４５Ａ  開口
１６ｈ  ケース本体の周壁
１６ｐ  段部
１８  グローブ（ケース蓋）
１８ｈ  グローブの周壁
２０，４７  シール部材
２０ｄ，４７ｄ  保持部
２０ｅ，４７ｆ  水抜き穴
２０ｆ，４７ｅ  シール部
２０ｒ  凹溝
２１ａ溝
２１ｂ  シール面
４６  ケースカバー（ケース蓋）
【図１】
2014130723.tif 000003
【図２】
2014130723.tif 000004
【図３】
2014130723.tif 000005
【図４】
2014130723.tif 000006
【図５】
2014130723.tif 000007
【図６】
2014130723.tif 000008
【図７】
2014130723.tif 000009
【図８】
2014130723.tif 000010
【図９】
2014130723.tif 000011
【図１０】
2014130723.tif 000012
【図１１】
2014130723.tif 000013
【図１２】
2014130723.tif 000014